(57)【要約】【課題】  遊技機枠に遊技盤ユニットが着脱可能に装着されて形成される遊技機において、メンテナンスが容易で、且つメンテナンス時における遊技盤パネルの破損が防止される遊技機を提供する。【解決手段】  遊技盤ユニット３の前面枠４が遊技機枠２に取り付けられる取付枠３５に対して、遊技機枠２の前枠５が後部枠８に対して片開きされる方向と同じ方向へ片開きされる。従って、遊技盤ユニット３が遊技機枠２に装着されたままの状態で、液晶表示ユニット７、並びに回胴表示ユニット６の各回胴表示装置６ａ〜６ｃを簡単に現出させることができ、作業者の片側には片開きされた状態の枠がないので、メンテナンスが容易である。さらに、前面枠４を取付枠３５から取り外す必要がないので、取り外された前面枠４の置き場所に困ることがなく、取り外して壁等に立掛けておいた前面枠４が倒れて破損してしまうようなことがない。【選択図】  図２
2005160954.tif 000002
【特許請求の範囲】
【請求項１】
遊技機枠に遊技盤ユニットが着脱可能に装着されて形成される遊技機であって、前記遊技機枠は、前記遊技盤ユニットが着脱可能に装着される後部枠と、該後部枠に片開き可能に取り付けられる前枠とを備え、また、前記遊技盤ユニットは、前記後部枠に取り付けられる取付枠と、該取付枠に前記前枠の片開き方向と同じ方向へ片開き可能に取り付けられる前面枠とを備えることを特徴とする遊技機。
【請求項２】
前記遊技盤ユニットには、液晶表示ユニットと、ベルト上に配置された複数種の図柄が回胴表示される回胴表示ユニットとが収容され、また、前記前面枠には、前記液晶表示ユニットと前記回胴表示ユニットとが視認可能な遊技盤パネルが設けられることを特徴とする請求項１に記載の遊技機。
【発明の詳細な説明】
【技術分野】
【０００１】
本発明は、遊技機枠に遊技盤ユニットが着脱可能に装着されて形成される遊技機に関する。
【背景技術】
【０００２】
従来から、球が遊技媒体として使用される遊技機として、遊技機枠に遊技盤ユニットが着脱可能に装着されて形成されるものが知られている。例えば、特許文献１に記載の遊技機は、遊技機枠に取り付けられる遊技盤ユニットに応じてパチンコ機、或いはスロットマシンが形成される。一般に、この類の遊技機は、ホールの島に取り付けられる後部枠と、該後部枠にヒンジを介して開閉可能に取り付けられる前枠とで遊技機枠が構成され、遊技盤ユニットが後部枠の所定位置に収容される。そして、このような遊技機では、回胴表示装置が複数列（３列）で配設されたスロットマシン用の遊技盤ユニットが後部枠に装着されて、前枠が閉じられることでスロットマシンが形成される。この場合、前枠がパチンコ機とスロットマシンとで共用されるため、ＢＥＴ表示器、ＣＲＥＤＩＴ表示器等のスロットマシン特有の表示器は、上記スロットマシン用の遊技盤ユニットの前面（遊技者から見て手前の面）の遊技盤パネルに表示される。
【０００３】
ところで、スロットマシンは、本来の性能を発揮させるために、回胴表示装置を定期的にメンテナンスする必要がある。また、不具合の発生時には、回胴表示装置を速やかに交換することで、迅速に復旧させて稼動率を維持する必要がある。そして、前述のスロットマシンでは、回胴表示装置をメンテナンス又は交換可能な状態にさせるために、上記遊技盤パネルを取り外して各回胴表示装置全体を現出させる必要があるが、遊技盤パネルを取り外すためには、スロットマシン用の遊技盤ユニットの遊技盤パネルに配設された各種表示器と基板ユニットとの間に設けられたコネクタを脱離させなくてはならず、極めて面倒であった。また、コネクタが着脱された場合、各表示器に全ての表示が正常に表示されるか確認する必要があり、その作業には多大な手間と時間とを要していた。さらに、遊技機周辺には取り外された遊技盤パネルを一時的に置いておく場所がなく、島に立掛けておいた場合には、遊技盤パネルが倒れる等して破損することがある。
【特許文献１】特開２００２−１９１８１６号公報（段落番号０００８〜００１７、第１図）
【発明の開示】
【発明が解決しようとする課題】
【０００４】
そこで本発明は、上記事情に鑑みてなされたもので、遊技機枠に遊技盤ユニットが着脱可能に装着されて形成される遊技機において、メンテナンスが容易で、且つメンテナンス時における遊技盤パネルの破損が防止される遊技機を提供することを目的とする。
【課題を解決するための手段】
【０００５】
上記目的を達成するために、本発明のうち請求項１に記載の発明は、遊技機枠に遊技盤ユニットが着脱可能に装着されて形成される遊技機であって、遊技機枠は、遊技盤ユニットが着脱可能に装着される後部枠と、該後部枠に片開き可能に取り付けられる前枠とを備え、また、遊技盤ユニットは、後部枠に取り付けられる取付枠と、該取付枠に前枠の片開き方向と同じ方向へ片開き可能に取り付けられる前面枠とを備えることを特徴とする。
請求項２に記載の発明は、請求項１に記載の発明において、遊技盤ユニットには、液晶表示ユニットと、ベルト上に配置された複数種の図柄が回胴表示される回胴表示ユニットとが収容され、また、前面枠には、液晶表示ユニットと回胴表示ユニットとが視認可能な遊技盤パネルが設けられることを特徴とする。
【０００６】
従って、請求項１に記載の発明では、遊技機枠の前枠を片開きさせた状態で、遊技盤ユニットの前面枠を遊技機枠の前枠の片開方向と同じ方向へ片開きさせることにより、遊技盤ユニットのメンテナンスが可能になる。
請求項２に記載の発明では、遊技機枠の前枠を片開きさせた状態で、遊技盤ユニットの前面枠を遊技機枠の前枠の片開方向と同じ方向へ片開きさせて、液晶表示ユニットと回胴表示ユニットとのメンテナンスを行うことができる。
【発明の効果】
【０００７】
遊技機枠に遊技盤ユニットが着脱可能に装着されて形成される遊技機において、メンテナンスが容易で、且つメンテナンス時における遊技盤パネルの破損が防止される遊技機を提供することができる。
【発明を実施するための最良の形態】
【０００８】
本発明の一実施の形態を図１〜図６に基づいて説明する。図１に示されるように、本遊技機１は、遊技機枠２にスロットマシン用の遊技盤ユニット３（以下、単に遊技盤ユニット３と称す）が着脱可能に装着されてスロットマシンが形成される。また、図２に示されるように、本遊技機１は、遊技盤ユニット３の前面枠４が、遊技機枠２の前枠５の片開き方向（図２におけるＡ方向）と同じ方向へ片開きされる。これにより、本遊技機１は、遊技機枠２の前枠５を片開きさせて、さらに遊技盤ユニット３の前面枠４を遊技機枠２の前枠５の片開き方向と同じ方向へ片開きさせることにより、遊技盤ユニット３に収容された回胴表示ユニット６及び液晶表示ユニット７等のメンテナンスが行われる構造になっている。図１に示されるように、上記遊技機枠２は、皿装置９が設けられた前枠５が、ヒンジ１０を介して後部枠８に取り付けられて形成され、前枠５が後部枠８に対して片開き（本実施の形態では左開き）される。
【０００９】
また、図３に示されるように、上記後部枠８は、ホールに設置される島に取り付け固定される外枠１２と、該外枠１２にヒンジ１３を介して取り付けられて該外枠１２に対して前枠５の片開き方向と同じ方向へ片開き可能な中枠１４とで形成される。さらに、上記前枠５は、皿装置９の上方に、中央に開口部１５が設けられた前面装飾部１６が形成される。該前面装飾部１６は、開口部１５の上側の部位にトップランプが設けられ、該トップランプ１７の左右両側には高音用スピーカ１８が配置される。そして、遊技機枠２は、中枠１４の図３における紙面視右側部の中央に錠１９が設けられ、該錠１９の鍵穴に差込まれた鍵が反時計回り方向へ回動されることにより、前枠５と中枠１４との施錠が解除されて前枠５が中枠１４に対して片開き（左開き）可能になる。また、錠１９の鍵穴に差込まれた鍵が時計回り方向へ回動されることにより、中枠１４と外枠１２との施錠が解除されて中枠１４が外枠１２に対して、前枠５の中枠１４に対する片開き方向と同じ方向へ片開き可能になる。
【００１０】
また、図３に示されるように、本遊技機１は、前枠５の皿装置９の前面にスタートレバースイッチ２０が設けられ、該スタートレバースイッチ２０から出力されたスタート信号が主基板で検出されることにより、回胴表示ユニット６の各回胴表示装置６ａ〜６ｃが駆動されて各回胴表示装置６ａ〜６ｃに図柄が変動表示される構造になっている。そして、前枠５の皿装置９には、各回胴表示装置６ａ〜６ｃの変動表示される図柄を任意のタイミングで停止させるための図柄停止ボタン２１ａ〜２１ｃが設けられる。また、前枠５の皿装置９には、球貸出しがカードユニットにより行われる際に使用される球貸出しボタン２２、球（カード）返却ボタン２３、並びにカードの有価価値が表示される表示器２４が設けられる。さらに、本遊技機１は、前枠５の皿装置９に球排出ボタン２５が設けられて、該球排出ボタン２５が操作されることにより、球収容部２６に収容された球が外部へ排出される構造になっている。
【００１１】
また、図３及び図４に示されるように、前枠５の皿装置９には、遊技において最大の賭球数（ＭＡＸＢＥＴ）が設定されるＭＡＸＢＥＴボタン２７、ＭＡＸＢＥＴよりも小さい賭球数が設定される１ＢＥＴボタン２８、賭球数の設定が取り消されるキャンセルボタン２９、獲得或いは投入された球が精算されて所定位置に回収される球抜きボタン３０が配設される。なお、本遊技機１は、メダルが使用されるスロットマシンの１ＢＥＴ当りの投入金額に合わせて、１ＢＥＴに対する賭球数が５個に設定される。また、図１に示されるように、上記後部枠８の中枠１４は、上部に遊技盤ユニット３が収容される遊技盤ユニット収容部３１が形成され、下部に低音用スピーカ３２、前枠５に取り付けられた球取り込み装置３３が収容される球取り込み装置収容部３４等が設けられる。そして、図４に示されるように、本遊技機１は、上記中枠１４の遊技盤ユニット収容部３１に収容された遊技盤ユニット３が、前枠５に形成された開口部１５から臨む構造になっている。
【００１２】
また、図５に示されるように、遊技盤ユニット３は、着脱機構を介して中枠１４に着脱可能に取り付けられる取付枠３５と、該取付枠３５にヒンジ３６を介して取り付けられる前面枠４とを含んで形成される。これにより、遊技盤ユニット３は、取付枠３５が中枠１４に取り付けられた状態で前面枠４が取付枠３５に対して、前枠５が後部枠８に対して片開きされる方向、並びに中枠１４が外枠１２に対して片開きされる方向と同じ方向へ片開きされる構造になっている。また、図５に示されるように、上記取付枠３５には、液晶表示ユニット７を位置決めさせるための２つの突起３８が設けられると共に、端面に液晶表示ユニット７を固定させるための留め孔３９が形成された複数本（本実施の形態では４本）のボス４０が配設される。さらに、液晶表示ユニット７には、取付枠３５に設けられた各突起３８に係合可能な各位置決め用孔４１が形成されると共に、各位置決め用孔４１が取付枠３５の各突起３８に係合されることで、取付枠３５の各ボス４０の留め孔３９に整合されるように配置された各留め具４２が設けられる。
【００１３】
そして、液晶表示ユニット７は、各位置決め用孔４１に取付枠３５の各突起３８が係合されることで取付枠３５に対して位置決めされ、この状態で、各留め具４２が取付枠３５の各ボス４０の留め孔３９に係合されることで、取付枠３５に固定される構造になっている。また、図５に示されるように、上記取付枠３５には、回胴表示ユニット６の各回胴表示装置６ａ〜６ｃを位置決めさせるための一対の突起４３が回胴表示装置配置方向に各回胴表示装置６ａ〜６ｃ毎に設けられると共に、各回胴表示装置６ａ〜６ｃを固定させるための留め孔４４が配設される。さらに、各回胴表示装置６ａ〜６ｃの各取付片４５には、取付枠３５に設けられた一対の各突起４３に係合可能な各位置決め用孔４６が形成されると共に、各位置決め用孔４６が取付枠３５の各突起４３に係合されることで、取付枠３５の各留め孔４４に整合されるように配置された留め具４７が設けられる。そして、各回胴表示装置６ａ〜６ｃは、各位置決め用孔４６に取付枠３５の各突起４３が係合されることで取付枠３５に対して位置決めされ、この状態で、各留め具４７が取付枠３５の各留め孔４４に係合されることで、取付枠３５に個別に固定される構造になっている。
【００１４】
なお、取付枠３５に装着された液晶表示ユニット７、及び回胴表示ユニット６の各回胴表示装置６ａ〜６ｃを取付枠３５から脱離させる場合には、留め具４２，４７を押し込むことにより、留め具４２，４７と留め孔３９，４４との係合を解除させればよい。また、図１及び図２に示されるように、上記前面枠４には、液晶表示ユニット７及び回胴表示ユニット６を視認するための開口部４８，４９が形成される。そして、図６に示されるように、前面枠４の前面には、前面枠４の周縁に配設された複数個の爪部３８により支持されて、アクリル製のパネルに意匠図柄が印刷されたフィルムが貼着されて形成されたデザインパネル３７が着脱可能に取り付けられる。なお、遊技盤ユニット３は、前面枠４に取り付けられた吸着板が取付枠３５に設けられたマグネットで吸着されることで前面枠４が取付枠３５に対して閉じられた状態で保持されて、図２に示されるように、前面枠４に設けられたノブ１１が手前に引張られることで前面枠４が取付枠３５に対して、前枠５が後部枠８に対して片開きされる方向と同じ方向へ片開きされる構造になっている。
【００１５】
次に、本実施の形態の作用を説明する。以下、遊技盤ユニット３の液晶表示ユニット７、並びに回胴表示ユニット６を、遊技盤ユニット３（取付枠３５）から脱離させてメンテナンスする際の手順を説明する。まず、遊技機枠２の右側部分に設けられた錠１９に所定の鍵を差込んで反時計回り方向へ回動させて、前枠５と中枠１４とのロックを解除させる。この状態で、図１に示されるように、前枠５を後部枠８（中枠１４）に対して左開きに片開きさせて、後部枠８の中枠１４に装着された遊技盤ユニット３を現出させる。次に、図２に示されるように、遊技盤ユニット３の前面枠４のノブ１１を手前に引くことで、前面枠４を取付枠３５に対して、前枠５が後部枠８に対して片開きされる方向と同じ方向へ片開きさせて、取付枠３５に配設された液晶表示ユニット７と回胴表示ユニット６とを現出させる。この状態で、各留め具４２を押し込んで、当該留め具４２と各留め孔３９との係合を解除させることにより、図５に示されるように、液晶表示ユニット７が遊技盤ユニット３（取付枠３５）から脱離される。
【００１６】
また、前述のようにして前面枠４を取付枠３５に対して片開きさせた状態で、一対の留め具４７を押し込んで、当該留め具４７と各留め孔４４との係合を解除させることにより、図５に示されるように、回胴表示ユニット６の各回胴表示装置６ａ〜６ｃが遊技盤ユニット３（取付枠３５）から脱離される。そして、液晶表示ユニット７、並びに回胴表示ユニット６の各回胴表示装置６ａ〜６ｃのメンテナンス終了後、取付枠３５の各突起３８に液晶表示ユニット７の各位置決め用孔４１を係合させることで当該液晶表示ユニット７を取付枠３５に対して位置決めさせ、この状態で、各留め具４２を各ボス４０の端面に形成された各留め孔３９に押し込めて各留め具４２と各留め孔３９とを係合させることにより、液晶表示ユニット７が取付枠３５に位置決め固定される。さらに、取付枠３５の各突起４３に各回胴表示装置６ａ〜６ｃの各取付片４５に設けられた各位置決め用孔４６を係合させることで各回胴表示装置６ａ〜６ｃを取付枠３５に対して位置決めさせ、この状態で、各留め具４７を各留め孔４４に押し込めて各留め具４７と各留め孔４４とを係合させることにより、回胴表示ユニット６の各回胴表示装置６ａ〜６ｃが、取付枠３５に位置決め固定される。
【００１７】
次に、遊技盤ユニット３の前面枠４を回動させて前面枠４に取り付けられた吸着板が取付枠３５に設けられたマグネットで吸着されることにより、図１に示されるように、前面枠４が取付枠３５に対して閉じられる。そして、遊技機枠２の前枠５を後部枠８（中枠１４）に対して閉じられる方向へ回動させて前枠５が閉じられることで、錠１９により当該前枠５が閉じられた状態で保持される。
【００１８】
この実施の形態では以下の効果を奏する。
遊技機枠２に遊技盤ユニット３が着脱可能に装着される遊技機１において、遊技盤ユニット３の前面枠４が遊技機枠２に取り付けられる取付枠３５に対して、遊技機枠２の前枠５が後部枠８に対して片開きされる方向と同じ方向へ片開きされるので、遊技盤ユニット３が遊技機枠２に装着されたままの状態で、液晶表示ユニット７、並びに回胴表示ユニット６の各回胴表示装置６ａ〜６ｃを簡単に現出させることが可能になる。
また、前面枠４が取付枠３５に対して、前枠５が後部枠８に対して片開きされる方向と反対方向へ片開きされる場合と比較して、作業者の片側（本実施の形態では、前面枠４及び前枠５が左開きであるので右側）には片開きされた状態の枠がないので、メンテナンス作業がし易く、作業効率を向上させることができる。
また、遊技盤ユニット３をメンテナンスするに際して、前面枠４を取付枠３５から取り外す必要がないので、取り外された前面枠４の置き場所に困ることがなく、取り外して壁等に立掛けておいた前面枠４が倒れて破損してしまうようなことがない。さらに、前面枠４に配設された各表示器と基板ユニットとの間のコネクタを取り外さなくて済むので、メンテナンスの終了後、各表示器の動作確認を行う必要がなく、メンテナンス時の時間と手間とを節約することが可能になる。
また、液晶表示ユニット７、並びに回胴表示ユニット６の各回胴表示装置６ａ〜６ｃが、ワンタッチで着脱可能な各留め具４２，４７により遊技盤ユニット３の取付枠３５に取り付けられるので、液晶表示ユニット７、並びに回胴表示ユニット６の各回胴表示装置６ａ〜６ｃを短時間で簡単に、取付枠３５に対して着脱することができる。従って、例えば、回胴表示ユニット６の各回胴表示装置６ａ〜６ｃのいずれかに不具合が生じた場合であっても、当該回胴表示装置６ａ〜６ｃのみを交換して、短時間で再稼動させることが可能になる。
【００１９】
なお、実施の形態は上記に限定されるものではなく、例えば次のように構成してもよい。
本実施の形態では、遊技機枠２にスロットマシン用の遊技盤ユニット３を着脱可能に装着させてスロットマシンを形成させたが、遊技機枠２にパチンコ機用の遊技盤ユニット（３）を着脱可能に装着させてパチンコ機を形成させてもよい。この場合、ガラス板が嵌め込まれた前面枠（４）が取付枠（３５）に対して、遊技機枠２の前枠５が後部枠８に対して片開きされる方向と同じ方向へ片開きされるように、パチンコ機用の遊技盤ユニット（３）が構成される。
【図面の簡単な説明】
【００２０】
【図１】本実施の形態の説明図であって、遊技機枠の前枠を後部枠に対して片開きさせた状態を示す斜視図である。
【図２】本実施の形態の説明図であって、図１における状態から、遊技盤ユニットの前面枠を取付枠に対して、遊技機枠の前枠が後部枠に対して片開きされる方向と同じ方向へ片開きさせた状態を示す斜視図である。
【図３】本実施の形態の説明図であって、遊技機枠を構成する各枠と遊技盤ユニットとを示す斜視図である。
【図４】本遊技機の正面図である。
【図５】本実施の形態の説明図であって、遊技盤ユニットの分解斜視図である。
【図６】本実施の形態の説明図であって、デザインパネルと、該デザインパネルが脱離された状態の遊技盤ユニットとを示す斜視図である。
【符号の説明】
【００２１】
１  遊技機、２  遊技機枠、３  遊技盤ユニット、４  前面枠、５  前枠、６  回胴表示ユニット、７  液晶表示ユニット、８  後部枠
【図１】
2005160954.tif 000003
【図２】
2005160954.tif 000004
【図３】
2005160954.tif 000005
【図４】
2005160954.tif 000006
【図５】
2005160954.tif 000007
【図６】
2005160954.tif 000008